(57)【要約】【課題】給湯器の不使用時における電力消費を低減させること。【解決手段】給湯器の不使用状態を検知する流量検知部６を備えている。そしてこの流量検知部６からの入力信号を機器制御回路３で検知し、不必要な電力消費を抑えるようにしている。【選択図】　図１
2004036934.tif 000002
【特許請求の範囲】
【請求項１】
機器駆動用の駆動回路と、前記駆動回路を制御する機器制御回路と、前記機器を遠隔制御する遠隔制御装置と、前記機器制御回路に接続した通信回路と、前記機器制御回路に電源を供給する制御電源と、前記駆動回路に電源を供給する駆動電源とを有し、前記制御電源と駆動電源が供給されている状態において、一定時間機器が不使用状態のときには前記駆動回路への電源供給を停止する電力制御システム。
【請求項２】
機器の構成部品を駆動する駆動回路と、前記駆動回路を制御する機器制御回路と、前記機器を遠隔制御する遠隔制御装置と、前記機器制御回路に接続した通信回路と、前記機器制御回路に電源を供給する制御電源と、前記駆動回路に電源を供給する駆動電源とを有し、前記制御電源と駆動電源が供給されている状態において、一定時間機器が不使用状態ときには前記遠隔制御装置に設けられた表示部を消燈する電力制御システム。
【請求項３】
機器内の水の流れを検知する流量検知部を有し、機器の不使用状態を前記流量検知部によって検知する請求項１または２記載の電力制御システム。
【請求項４】
機器の不使用状態を遠隔制御装置からの信号の有無にて検知する請求項１または２記載の電力制御システム。
【請求項５】
機器の構成部品を駆動する駆動回路と、前記駆動回路を制御する機器制御回路と、前記機器を遠隔制御する遠隔制御装置と、前記機器制御回路に接続した通信回路と、前記機器制御回路に電源を供給する制御電源と、前記駆動回路に電源を供給する駆動電源と、前記機器の燃焼状態を検知する燃焼検知部を有し、機器の不使用状態を前記燃焼検知部によって検知する請求項１または２記載の電力制御システム。
【請求項６】
機器の構成部品を駆動する駆動回路と、前記駆動回路を制御する機器制御回路と、前記機器を遠隔制御する遠隔制御装置と、前記機器制御回路に接続した通信回路と、前記機器制御回路に電源を供給する制御電源と、前記駆動回路に電源を供給する駆動電源とを有し、前記駆動回路への電源供給を停止している状態において、機器の使用が確認できたときは前記駆動回路への電源供給を開始する電力制御システム。
【請求項７】
機器の構成部品を駆動する駆動回路と、前記駆動回路を制御する機器制御回路と、前記機器を遠隔制御する遠隔制御装置と、前記機器制御回路に接続した通信回路と、前記機器制御回路に電源を供給する制御電源と、前記駆動回路に電源を供給する駆動電源とを有し、前記遠隔操作部に備わる機器の状態を表示する表示部を消燈している状態において、機器の使用が確認できたときは前記表示部を点燈する電力制御システム。
【発明の詳細な説明】
【０００１】
【発明の属する技術分野】
本発明は給湯器の電力制御システムに関するものである。
【０００２】
【従来の技術】
従来の給湯器は、電源は常に動作状態で遠隔制御装置や機器内のセンサーの信号に応じて動作するようになっていた。
【０００３】
【発明が解決しようとする課題】
しかしながら、従来の機器の電源制御システムでは、遠隔制御装置で機器本体を待機状態にしたときや、機器本体が動作していないときでも、電源は常に動作状態であり必要以上の電力を消費するという課題を有していた。
【０００４】
本発明は、この不必要な電力消費を低減し消費電力を抑え、また必要時には電力を供給する給湯器の電力制御システムを得ることを目的とする。
【０００５】
【課題を解決するための手段】
本発明は上記課題を解決するために、機器本体が待機状態のときや機器本体が動作していないときには、必要最低限の制御回路（例えばマイクロコンピュータ及びその周辺回路）のみに電源を供給する、また表示部の表示を消すことにより電力の消費を必要最小限にするようにしたものである。
【０００６】
上記発明によれば、機器が動作していないときの電力消費を必要最小限にすることができ、省エネルギーが実現できるとともに使用者の電力負担を軽減することが可能となる。
【０００７】
【発明の実施の形態】
請求項１に記載の発明は、機器の構成部品を駆動する駆動回路と、前記駆動回路を制御する機器制御回路と、前記機器を遠隔制御する遠隔制御装置と、前記機器制御回路に接続した通信回路と、前記機器制御回路に電源を供給する制御電源と、前記駆動回路に電源を供給する駆動電源とを有し、前記制御電源と駆動電源が供給されている状態において、一定時間機器が不使用状態ときには前記駆動回路への電源供給を停止して電源のロスを低減させることができる。
【０００８】
請求項２に記載の発明は、機器の構成部品を駆動する駆動回路と、前記駆動回路を制御する機器制御回路と、前記機器を遠隔制御する遠隔制御装置と、前記機器制御回路に接続した通信回路と、前記機器制御回路に電源を供給する制御電源と、前記駆動回路に電源を供給する駆動電源とを有し、前記制御電源と駆動電源が供給されている状態において、一定時間機器が不使用状態ときには前記遠隔操作部に備わる機器の状態を表示する表示部の表示を消して電源のロスを低減させることができる。
【０００９】
請求項３に記載の発明は、機器の構成部品を駆動する駆動回路と、前記駆動回路を制御する機器制御回路と、前記機器を遠隔制御する遠隔制御装置と、前記機器制御回路に接続した通信回路と、前記機器制御回路に電源を供給する制御電源と、前記駆動回路に電源を供給する駆動電源と、前記機器内の水の流れを検知する流量検知部とを有し、特に請求項１または２記載の機器の不使用状態を前記流量検知部の信号の有無にて検知することとしている。
【００１０】
請求項４に記載の発明は、機器の構成部品を駆動する駆動回路と、前記駆動回路を制御する機器制御回路と、前記機器を遠隔制御する遠隔制御装置と、前記機器制御回路に接続した通信回路と、前記機器制御回路に電源を供給する制御電源と、前記駆動回路に電源を供給する駆動電源を有し、特に請求項１または２記載の機器の不使用状態を前記遠隔制御装置からの信号の有無にて検知することとしている。
【００１１】
請求項５に記載の発明は、機器の構成部品を駆動する駆動回路と、前記駆動回路を制御する機器制御回路と、前記機器を遠隔制御する遠隔制御装置と、前記機器制御回路に接続した通信回路と、前記機器制御回路に電源を供給する制御電源と、前記駆動回路に電源を供給する駆動電源と、前記機器の燃焼状態を検知する燃焼検知部を有し、特に請求項１または２記載の機器の不使用状態を前記燃焼検知部の燃焼信号の有無にて検知することとしている。
【００１２】
請求項６に記載の発明は、機器の構成部品を駆動する駆動回路と、前記駆動回路を制御する機器制御回路と、前記機器を遠隔制御する遠隔制御装置と、前記機器制御回路に接続した通信回路と、前記機器制御回路に電源を供給する制御電源と、前記駆動回路に電源を供給する駆動電源とを有し、前記駆動回路への電源供給を停止している状態において、機器の使用が確認できたとき前記駆動回路への電源供給を開始すること特徴とする。
【００１３】
請求項７に記載の発明は、機器の構成部品を駆動する駆動回路と、前記駆動回路を制御する機器制御回路と、前記機器を遠隔制御する遠隔制御装置と、前記機器制御回路に接続した通信回路と、前記機器制御回路に電源を供給する制御電源と、前記駆動回路に電源を供給する駆動電源とを有し、前記遠隔操作部に備わる機器の状態を表示する表示部の表示を消している状態において、機器の使用が確認できたとき前記表示部の表示を行うことを特徴とする。
【００１４】
【実施例】
以下、本発明の実施例について図面を用いて説明する。図１は給湯機のブロック図である。図１において、１は機器本体、２は機器本体１を遠隔制御する遠隔制御装置、３は機器を制御する機器制御回路、４は前記機器制御回路３に接続した通信回路、５は出湯部、６は機器内の水の流れを検知する流量検知部、７は機器の燃焼状態を検知する燃焼検知部、９は機器本体１の構成部品をを駆動する駆動回路、１０は前記駆動回路２に電源を供給する駆動電源、１１は前記遠隔制御装置に備えられた表示部、１２は前記機器制御回路４に電源を供給する制御電源である。
【００１５】
（実施例１）
図２は本発明の実施例１における電力制御システムのブロック図を示すものである。図において、機器制御回路３に一定時間流量検知部６からの入力信号が途絶えると、給湯機は不使用状態であると機器制御回路３は認識する。機器制御回路３が不使用状態であると認識すると、駆動電源１０を遮断し、駆動回路９への電源供給を停止する。また、遠隔制御装置２に備わる表示部１１の表示を消すこともできる。さらに、電力制御されている状態において、機器制御部に流量検知部６からの入力信号が発生すると、駆動電源１０からの電源供給を復帰させる。
【００１６】
（実施例２）
図３は本発明の実施例２における電力制御システムのブロック図を示すものである。図において、機器制御回路３に一定時間遠隔制御装置２からの入力信号が途絶えると、給湯機は不使用状態であると機器制御回路３は認識する。機器制御回路３が不使用状態であると認識すると、駆動電源１０を遮断し、駆動回路９への電源供給を停止する。また、遠隔制御装置２に備わる表示部１１の表示を消すこともできる。さらに、電力制御されている状態において、機器制御部３に遠隔制御装置２からの入力信号が発生すると、駆動電源１０からの電源供給を復帰させる。
【００１７】
（実施例３）
図４は本発明の実施例３における電力制御システムのブロック図を示すものである。図において、機器制御回路３に一定時間燃焼検知部７からの入力信号が途絶えると、給湯機は不使用状態であると機器制御回路３は認識する。機器制御回路３が不使用状態であると認識すると、駆動電源１０を遮断し、駆動回路９への電源供給を停止する。また、遠隔制御装置２に備わる表示部１１の表示を消すこともできる。さらに、電力制御されている状態において、機器制御部３に燃焼検知部７からの入力信号が発生すると、駆動電源１０からの電源供給を復帰させる。
【００１８】
【発明の効果】
以上のように請求項１〜７に記載の発明によれば、給湯器不使用状態での不必要な電力の消費をおさえることができ、また必要時にはその制御を解除できる。
【図面の簡単な説明】
【図１】本発明の実施例における給湯器のブロック図
【図２】本発明の実施例１における電力制御システムのブロック図
【図３】本発明の実施例２における電力制御システムのブロック図
【図４】本発明の実施例３における電力制御システムのブロック図
【符号の説明】
１　機器本体
２　遠隔制御装置
３　機器制御回路
４　通信回路
６　流量検知部
７　燃焼検知部
９　駆動回路
１０　駆動電源
１１　表示部
【図１】
2004036934.tif 000003
【図２】
2004036934.tif 000004
【図３】
2004036934.tif 000005
【図４】
2004036934.tif 000006